(57)【要約】【課題】  本発明は、隣り合う伝熱プレートの伝熱部同士の支持点を減らすことなく、伝熱プレートの伝熱部の変形を抑制することのできるプレート式熱交換器を提供する。【解決手段】  伝熱プレートの伝熱部は、両面に形成された複数の凹条及び凸条と、補強部とを有し、補強部は、伝熱部で横並びする三つの凸条の中心線と対応する位置に配置された起点部と、起点部とを繋ぐ接続部とを含む屈曲平板部を備え、三つの凸条のうちの中央の凸条に配置された起点部は、相手方の伝熱部で横並びする二つの凹条のうちの一方の凹条と対応する位置に配置され、残りの起点部は、相手方の伝熱部で横並びする二つの凹条のうちの他方の凹条と対応する位置に配置される。【選択図】図６
2019066052.tif 000002
【特許請求の範囲】
【請求項１】
それぞれが第一流体と第二流体とを熱交換させる伝熱部を有する複数の伝熱プレートであって、それぞれの伝熱部が第一方向に重ね合わされた複数の伝熱プレートを備え、複数の伝熱プレートのそれぞれの伝熱部は、第一方向において第一面と該第一面に対して反対側を向く第二面とを有するとともに、第一面上に形成された複数の凹条及び凸条であって、第一方向と直交する第二方向に延びる中心線に対して傾斜する方向に延び、且つ該傾斜する方向に対して直交する方向に交互に配置される複数の凹条及び凸条と、第二面上に形成された複数の凹条及び凸条であって、第一面上の凸条と表裏の関係にある凹条及び第一面上の凹条と表裏の関係にある凸条と、第一面及び第二面にある凹条及び凸条に跨って形成された補強部であって、第一方向における第一面上の凸条の頂部と第二面上の凸条の頂部との間に位置する補強部とを有し、複数の伝熱プレートは、隣り合う伝熱部の凸条同士が交差衝合するように、第一方向に重ね合わされた状態で、第一方向に並ぶ伝熱部を境にして、第一流体を流通させる第一流路と、第二流体を流通させる第二流路とを第一方向で交互に形成し、補強部は、伝熱部における第一面又は第二面の何れか一方で凹条を挟んで横並びする三つの凸条のそれぞれの中心線と対応する位置に配置された起点部と、前記三つの凸条のうちの中央の凸条の中心線上にある起点部と残りの二つの起点部とを繋ぐ一対の接続部とを含む少なくとも一つの屈曲平板部を備え、屈曲平板部において、前記三つの凸条のうちの中央の凸条の中心線と対応する位置に配置された起点部は、相手方の伝熱部の第一面又は第二面の何れか一方で凸条を挟んで横並びする二つの凹条のうちの一方の凹条の中心線と対応する位置に配置されるとともに、前記三つの凸条のうちの中央の凸条の両側にある凸条のそれぞれの中心線と対応する位置に配置された二つの起点部は、相手方の伝熱部の第一面又は第二面の何れか一方で凸条を挟んで横並びする二つの凹条のうちの他方の凹条の中心線と対応する位置に配置されることを特徴とするプレート式熱交換器。
【請求項２】
補強部は、複数の屈曲平板部を備え、複数の屈曲平板部が連続している請求項１に記載のプレート式熱交換器。
【請求項３】
隣り合う伝熱プレートの伝熱部の補強部は、伝熱部における第二方向に延びる中心線を基準に対称的に配置されている請求項１又は２に記載のプレート式熱交換器。
【発明の詳細な説明】
【技術分野】
【０００１】
本発明は、重ね合わされた複数の伝熱プレートを備え、隣り合う伝熱プレートによって流路を画定したプレート式熱交換器に関する。
【背景技術】
【０００２】
従来から、流体同士を熱交換させる熱交換器の一つとして、プレート式熱交換器が提供されている。
【０００３】
プレート式熱交換器は、それぞれが第一流体と第二流体とを熱交換させる伝熱部を有する複数の伝熱プレートであって、それぞれの伝熱部が第一方向に重ね合わされた複数の伝熱プレートを備える。
【０００４】
伝熱プレートの伝熱部は、第一方向において第一面と、該第一面に対して反対側を向く第二面とを有する。伝熱プレートは、金属プレートをプレス成型したもので、伝熱部は、第一面上に形成された複数の凹条及び凸条と、第二面上に形成された複数の凹条及び凸条であって、第一面上の凸条と表裏の関係にある凹条及び第一面上の凹条と表裏の関係にある凸条とを有する。
【０００５】
伝熱部の第一面上に形成された凹条及び凸条のそれぞれは、第一方向と直交する第二方向に延びる中心線に対して傾斜する方向に延び、且つ自身の延びる方向に対して直交する方向に交互に配置される。これに伴い、伝熱部の第一面の凸条及び凹条と表裏の関係にある第二面上の凹条及び凸条のそれぞれについても、第二方向に延びる中心線に対して傾斜する方向に延び、且つ自身の延びる方向に対して直交する方向に交互に配置される
【０００６】
そして、この種のプレート式熱交換器において、隣り合う伝熱プレート（伝熱部）の凸条同士が交差衝合するように、伝熱部が第一方向に重ね合わされた複数の伝熱プレートに対して第一方向の力（圧縮力）を作用させた状態で、隣り合う伝熱プレートの伝熱部の周囲が封止される。
【０００７】
これにより、この種のプレート式熱交換器では、伝熱プレート（伝熱部）を境にして、第一流体を流通させる第一流路と、第二流体を流通させる第二流路とが第一方向で交互に形成される。すなわち、隣り合う伝熱プレート（伝熱部）は、互いの凸条同士の交差衝合（当接）によって互いに支え合いつつ、互いの凹条（空間）によって流体を流通させる流路（第一流路又は第二流路）を形成する。
【０００８】
ところで、この種のプレート式熱交換器において、複数の伝熱プレートのそれぞれがプレス成型されたものであるため、重ね合わされた複数の伝熱プレートに対して第一方向の力（圧縮力）を作用させると、伝熱プレート（伝熱部）の凹条及び凸条が広がる傾向にある。そのため、隣り合う伝熱プレートの伝熱部間に形成される流路の形状や面積を適正な状態で維持できなかったり、伝熱部の周囲の位置ずれによって該伝熱部間の封止性能が低下したりする虞がある。
【０００９】
これに伴い、この種のプレート式熱交換器には、伝熱プレートが伝熱部の変形を抑える補強部を備えたものがある（例えば、特許文献１参照）。
【００１０】
かかるプレート式熱交換器において、補強部は、伝熱部の第一面及び第二面にある凸条及び凹条を横切るように配置され、第一方向における第一面上の凸条の頂部と第二面上の凸条の頂部との間で第一方向と直交する方向に広がった帯板状に形成される。かかるプレート式熱交換器では、伝熱部の複数の凹条及び複数の凸条を横切るように配置された補強部が凹条及び凸条の広がりを阻止する。これにより、この種のプレート式熱交換器は、隣り合う伝熱部間に形成される流路の形状や面積を適正な状態で維持でき、また、伝熱部の周囲の封止性能を適正な状態で維持することができる。
【００１１】
しかしながら、上記構成のプレート式熱交換器では、伝熱プレートの補強部が第一面上の凸条の頂部と第二面上の凸条の頂部との間に配置されるため、隣り合う伝熱プレート（伝熱部）の交差衝合する部分（支持点）が少なくなる。
【００１２】
具体的には、補強部が複数の凹条及び凸条を横切って真っすぐに延びると、補強部が本来であれば凸条同士が交差衝合すべき位置に形成されることがある。そうすると、隣り合う相手方の伝熱プレートの凸条に対し、第一面上の凸条の頂部と第二面上の凸条の頂部との間に位置する（第一面及び第二面の凸条の頂部よりも低い位置にある）補強部が対向することになり、隣り合う伝熱プレートの伝熱部の凸条との当たりが取れなくなる。その結果、隣り合う伝熱プレート同士の支持点が少なくなり、剛性が低くなる虞がある。
【先行技術文献】
【特許文献】
【００１３】
【特許文献１】特許第３５４３９９２号公報
【発明の概要】
【発明が解決しようとする課題】
【００１４】
そこで、本発明は、隣り合う伝熱プレートの伝熱部同士の支持点を減らすことなく、伝熱プレートの伝熱部の変形を抑制することのできるプレート式熱交換器を提供することを課題とする。
【課題を解決するための手段】
【００１５】
本発明に係るプレート式熱交換器は、それぞれが第一流体と第二流体とを熱交換させる伝熱部を有する複数の伝熱プレートであって、それぞれの伝熱部が第一方向に重ね合わされた複数の伝熱プレートを備え、複数の伝熱プレートのそれぞれの伝熱部は、第一方向において第一面と該第一面に対して反対側を向く第二面とを有するとともに、第一面上に形成された複数の凹条及び凸条であって、第一方向と直交する第二方向に延びる中心線に対して傾斜する方向に延び、且つ該傾斜する方向に対して直交する方向に交互に配置される複数の凹条及び凸条と、第二面上に形成された複数の凹条及び凸条であって、第一面上の凸条と表裏の関係にある凹条及び第一面上の凹条と表裏の関係にある凸条と、第一面及び第二面にある凹条及び凸条に跨って形成された補強部であって、第一方向における第一面上の凸条の頂部と第二面上の凸条の頂部との間に位置する補強部とを有し、複数の伝熱プレートは、隣り合う伝熱部の凸条同士が交差衝合するように、第一方向に重ね合わされた状態で、第一方向に並ぶ伝熱部を境にして、第一流体を流通させる第一流路と、第二流体を流通させる第二流路とを第一方向で交互に形成し、補強部は、伝熱部における第一面又は第二面の何れか一方で凹条を挟んで横並びする三つの凸条のそれぞれの中心線と対応する位置に配置された起点部と、前記三つの凸条のうちの中央の凸条の中心線上にある起点部と残りの二つの起点部とを繋ぐ一対の接続部とを含む少なくとも一つの屈曲平板部を備え、屈曲平板部において、前記三つの凸条のうちの中央の凸条の中心線と対応する位置に配置された起点部は、相手方の伝熱部の第一面又は第二面の何れか一方で凸条を挟んで横並びする二つの凹条のうちの一方の凹条の中心線と対応する位置に配置されるとともに、前記三つの凸条のうちの中央の凸条の両側にある凸条のそれぞれの中心線と対応する位置に配置された二つの起点部は、相手方の伝熱部の第一面又は第二面の何れか一方で凸条を挟んで横並びする二つの凹条のうちの他方の凹条の中心線と対応する位置に配置されることを特徴とする。
【００１６】
本発明の一態様として、補強部は、複数の屈曲平板部を備え、複数の屈曲平板部が連続していることが好ましい。
【００１７】
本発明の他態様として、隣り合う伝熱プレートの伝熱部の補強部は、伝熱部における第二方向に延びる中心線を基準に対称的に配置されていることが好ましい。
【発明の効果】
【００１８】
本発明によれば、隣り合う伝熱プレートの伝熱部同士の支持点を減らすことなく、伝熱プレートの伝熱部の変形を抑制することができるという優れた効果を奏し得る。
【図面の簡単な説明】
【００１９】
【図１】図１は、本発明の一実施形態に係るプレート式熱交換器の全体斜視図である。
【図２】図２は、図１のＩＩ―ＩＩ断面を含む斜視図である。
【図３】図３は、図１のＩＩＩ―ＩＩＩ断面を含む斜視図である。
【図４】図４は、同実施形態に係るプレート式熱交換器の分解斜視図である。
【図５】図５は、同実施形態に係る伝熱プレートを第一面側から見た図である。
【図６】図６は、同実施形態に係る伝熱プレートを第二面側から見た図である。
【図７】図７は、図５のＶＩＩ部の拡大図である。
【図８】図８は、図７のＶＩＩI−ＶＩＩＩ断面図である。
【図９】図９は、図６のＸＩ−ＸＩ断面図である。
【図１０】図１０は、図６のＸ−Ｘ断面図である。
【図１１】図１１は、同実施形態に係る伝熱プレート積層体の部分拡大断面図であって、伝熱部の応力緩和領域周辺を含むＹ軸方向から見た部分断面図である。
【図１２】図１２は、同実施形態に係る伝熱プレート積層体の部分拡大断面図であって、伝熱部の応力緩和領域周辺を含むＸ軸方向から見た部分断面図である。
【図１３】図１３は、図６のＸＩＩＩ−ＸＩＩＩ断面図であって、中間部分を省略した断面図である。
【図１４】図１４は、図６のＸＩＶ−ＸＩＶ断面図であって、中間部分を省略した断面図である。
【図１５】図１５は、同実施形態に係る伝熱プレート積層体の部分拡大断面図であって、伝熱部の主伝熱領域周辺を含むＹ軸方向から見た部分拡大断面図である。
【図１６】図１６は、同実施形態に係る伝熱プレート積層体の部分拡大断面図であって、伝熱部の主伝熱領域周辺を含むＸ軸方向から見た部分拡大断面図である。
【図１７】図１７は、同実施形態に係る伝熱プレート積層体の伝熱プレートの凸条同士の交点の配置及び他方のブロックにおける第一流路での流体の流れを説明するための図である。
【図１８】図１８は、同実施形態に係る伝熱プレート積層体の伝熱プレートの凸条同士の交点の配置及び一方のブロックにおける第一流路での流体の流れを説明するための図である。
【図１９】図１９は、同実施形態に係る伝熱プレート積層体の伝熱プレートの凸条同士の交点の配置及び一方のブロックにおける第二流路での流体の流れを説明するための図である。
【図２０】図２０は、同実施形態に係る伝熱プレート積層体の伝熱プレートの凸条同士の交点の配置及び他方のブロックにおける第二流路での流体の流れを説明するための図である。
【図２１】図２１は、図１５のＸＸＩ部の拡大図である。
【図２２】図２２は、図１６のＸＸＩＩ部の拡大図である。
【発明を実施するための形態】
【００２０】
以下、本発明の一実施形態に係るプレート式熱交換器について、添付図面を参照しつつ説明する。
【００２１】
図１乃至図４に示す如く、プレート式熱交換器１は、第一流体Ａと第二流体Ｂとを熱交換させる熱交換部２と、熱交換部２に第一流体Ａを供給する第一給液口Ｐａ１と、熱交換部２からの第一流体Ａを排出する第一排液口Ｐａ２と、熱交換部２に第二流体Ｂを供給する第二給液口Ｐｂ１と、熱交換部２からの第二流体Ｂを排出する第二排液口Ｐｂ２とを備える。
【００２２】
本実施形態において、熱交換部２は、図２乃至図４に示す如く、第一方向に重ね合わされた複数の伝熱プレート３を備える。さらに、熱交換部２は、重ね合わされた複数の伝熱プレート３を取り囲む外装体４であって、第一給液口Ｐａ１、第一排液口Ｐａ２、第二給液口Ｐｂ１、第二排液口Ｐｂ２が取り付けられる外装体４を備える。本実施形態において、熱交換部２は、外装体４内に配置された第一仕切プレート５であって、重ね合わされた複数の伝熱プレート３のうちの第一方向における中間位置にある伝熱プレート３に対応して配置された第一仕切プレート５と、外装体４内に配置された第二仕切プレート６であって、重ね合わされた複数の伝熱プレート３のうちの第一方向における中間位置にある伝熱プレート３に対応して配置された第二仕切プレート６とを備える。
【００２３】
なお、以下の説明において、第一方向をＺ軸方向とし、第一方向と直交する第二方向をＸ軸方向とし、第一方向及び第二方向のそれぞれと直交する第三方向をＹ軸方向とする。これに伴い、各図面に対し、Ｚ軸方向、Ｘ軸方向、Ｙ軸方向に対応した直交三軸（Ｚ軸、Ｘ軸、Ｙ軸）、直交二軸（Ｚ軸、Ｘ軸、Ｙ軸のうちの何れか二軸）又は一軸（Ｚ軸、Ｘ軸、Ｙ軸のうちの何れか一軸）を補助的に図示している。
【００２４】
複数の伝熱プレート３…のそれぞれは、図５及び図６に示す如く、Ｚ軸方向において第一面Ｓ１と、該第一面Ｓ１に対して反対側を向く第二面Ｓ２とを有する。複数の伝熱プレート３…のそれぞれは、Ｚ軸方向から見て互いに平行又は略平行な一対の端縁Ｅａ１，Ｅａ１，Ｅａ２，Ｅａ２を少なくとも二対含んだ輪郭Ｅａを有する。
【００２５】
本実施形態において、対となる端縁Ｅａ１，Ｅａ１，Ｅａ２，Ｅａ２は、同一方向に延びる。また、対となる端縁Ｅａ１，Ｅａ１，Ｅａ２，Ｅａ２は、異なる対の端縁Ｅａ１，Ｅａ１，Ｅａ２，Ｅａ２に対して異なる方向に延び、且つ異なる対の端縁Ｅａ１,Ｅａ１，Ｅａ２，Ｅａ２に接続されている。これに伴い、伝熱プレート３は、異なる対の端縁Ｅａ１，Ｅａ２同士の接続によって形成される角部を四つ以上有する。
【００２６】
より具体的に説明すると、本実施形態において、伝熱プレート３は、Ｚ軸方向から見て四角形状である。より正確には、伝熱プレート３は、Ｚ軸方向から見て正方形状である。これに伴い、Ｚ軸方向から見た伝熱プレート３の輪郭Ｅａには、互いに平行又は略平行な一対の端縁Ｅａ１，Ｅａ１，Ｅａ２，Ｅａ２を二組（二対）含んでいる。
【００２７】
すなわち、伝熱プレート３の輪郭Ｅａは、Ｘ軸方向に間隔をあけ且つＹ軸方向に延びる一対の端縁（以下、第一端縁という）Ｅａ１，Ｅａ１と、Ｙ軸方向に間隔をあけ且つそれぞれがＸ軸方向に延びる一対の端縁（以下、第二端縁という）Ｅａ２，Ｅａ２とを含む。本実施形態において、第一端縁Ｅａ１，Ｅａ１及び第二端縁Ｅａ２，Ｅａ２のそれぞれは、直線状である。これに伴い、伝熱プレート３は、四つの角部を有する。
【００２８】
伝熱プレート３は、Ｚ軸方向において第一面Ｓ１及び該第一面Ｓ１に対して反対側を向く第二面Ｓ２を有する伝熱部３０と、それぞれが二対のうちの一方の対を構成する第一端縁Ｅａ１を含む一対の第一延出部３１，３１であって、それぞれが伝熱部３０の外縁Ｅｂ１からＸ軸方向に延出した一対の第一延出部３１，３１と、それぞれが二対のうちの他方の対を構成する第二端縁Ｅａ２を含む一対の第二延出部３２，３２であって、それぞれが伝熱部３０の外縁Ｅｂ２からＹ軸方向に延出した一対の第二延出部３２，３２とを備える。
【００２９】
Ｚ軸方向から見た伝熱部３０の輪郭Ｅｂは、Ｚ軸方向から見た伝熱プレート３の輪郭Ｅａの相似形である。本実施形態において、伝熱プレート３は、Ｚ軸方向から見て正方形状であるため、伝熱部３０についてもＺ軸方向から見て正方形状である。伝熱部３０は、自身の輪郭Ｅｂの二つの角を繋ぐ対角線が伝熱プレートの輪郭Ｅａの二つの角を繋ぐ対角線と重なるように配置される。また、伝熱部３０は、自身の中心を伝熱プレート３全体の中心と一致させて配置されている。
【００３０】
従って、伝熱部３０の輪郭Ｅｂには、互いに平行又は略平行な一対の外縁Ｅｂ１，Ｅｂ２が二対含まれる。本実施形態において、伝熱部３０の輪郭Ｅｂに含まれる外縁Ｅｂ１，Ｅｂ２は、伝熱プレート３の輪郭Ｅａに含まれる端縁Ｅａ１，Ｅａ２（第一端縁Ｅａ１又は第二端縁Ｅａ２)と平行又は略平行である。
【００３１】
すなわち、伝熱部３０の輪郭Ｅｂは、Ｘ軸方向に間隔をあけ且つそれぞれがＹ軸方向に延びる一対の外縁（以下、第一外縁という）Ｅｂ１と、Ｙ軸方向に間隔をあけ且つそれぞれがＸ軸方向に延びる一対の外縁（以下、第二外縁という）Ｅｂ２とを含む。上述の如く、本実施形態において、第一端縁Ｅａ１及び第二端縁Ｅａ２のそれぞれは、直線状であるため、第一外縁Ｅｂ１及び第二外縁Ｅｂ２のそれぞれも直線状である。
【００３２】
伝熱部３０は、流体（第一流体Ａ又は第二流体Ｂ）の流路（後述する第一流路Ｒａ、第二流路Ｒｂ）を形成する主たる領域であって、第一流体Ａと第二流体Ｂとの熱交換に貢献する主伝熱領域３００ａと、当該伝熱部３０の一部の領域であって、主伝熱領域３００ａと隣接した応力緩和領域３００ｂとを含む。
【００３３】
伝熱部３０の主伝熱領域３００ａの第一面Ｓ１には、複数の凹条３０１及び凸条３０２が形成され（図５参照）、伝熱部３０の主伝熱領域３００ａの第二面Ｓ２には、第一面Ｓ１の凹条３０１と表裏の関係にある凸条３０２及び第一面Ｓ１の凸条３０２と表裏の関係にある凹条３０１が形成される（図６参照）。なお、図５及び図６等において、凹条３０１等の窪んだ部分にドットを付し、同一面上での凹凸関係を明確にしている。
【００３４】
図５に示す如く、主伝熱領域３００ａの第一面Ｓ１にある凹条３０１及び凸条３０２は、Ｘ軸方向に延びる中心線（以下、縦中心線という）ＣＬ１及びＹ軸方向に延びる中心線（以下、横中心線という）ＣＬ２のそれぞれに対して傾斜する方向に延びる。すなわち、主伝熱領域３００ａの第一面Ｓ１にある凹条３０１及び凸条３０２は、Ｘ軸方向の成分とＹ軸方向の成分とを含む合成方向に延びる。主伝熱領域３００ａの第一面Ｓ１にある凹条３０１及び凸条３０２は、Ｘ軸方向の成分とＹ軸方向の成分とを含む合成方向に対して直交する方向で交互に並んでいる。
【００３５】
上述の如く、伝熱部３０の第二面Ｓ２にある凹条３０１は、第一面Ｓ１の凸条３０２と表裏の関係にあり、伝熱部３０の第二面Ｓ２にある凸条３０２は、第一面Ｓ１の凹条３０１と表裏の関係にある。
【００３６】
これに伴い、図６に示す如く、主伝熱領域３００ａの第二面Ｓ２にある凹条３０１及び凸条３０２は、Ｘ軸方向に延びる縦中心線ＣＬ１及び横中心線ＣＬ２のそれぞれに対して傾斜する方向に延びる。すなわち、主伝熱領域３００ａの第二面Ｓ２にある凹条３０１及び凸条３０２は、Ｘ軸方向の成分とＹ軸方向の成分とを含む合成方向に延びる。そして、主伝熱領域３００ａの第二面Ｓ２にある複数の凹条３０１及び凸条３０２は、Ｘ軸方向の成分とＹ軸方向の成分とを含む合成方向に対して直交する方向で交互に並んでいる。
【００３７】
本実施形態において、伝熱部３０（主伝熱領域３００ａ）は、図５及び図６に示す如く、第一面Ｓ１上にある凹条３０１及び凸条３０２に跨り且つ第二面Ｓ２上にある凹条３０１及び凸条３０２に跨る補強部３０３を有する。
【００３８】
本実施形態において、補強部３０３は、図７に示す如く、伝熱部３０における第一面Ｓ１又は第二面Ｓ２の何れか一方（本実施形態においては第一面Ｓ１）で凹条３０１を挟んで横並びする三つの凸条３０２のそれぞれの中心線と対応する位置に配置された起点部３０４ａと、前記三つの凸条３０２のうちの中央の凸条３０２の中心線上にある起点部３０４ａと残りの二つの起点部３０４ａ，３０４ａとを繋ぐ一対の接続部３０４ｂ，３０４ｂとを含む少なくとも一つの屈曲平板部３０４を備える。
【００３９】
屈曲平板部３０４において、前記三つの凸条３０２のうちの中央の凸条３０２の中心線と対応する位置に配置された起点部３０４ａは、相手方の伝熱部３０（Ｚ軸方向で重なり合って隣り合う伝熱部３０）の第一面Ｓ１又は第二面Ｓ２の何れか一方（本実施形態においては第一面Ｓ１）で凸条３０２を挟んで横並びする二つの凹条３０１，３０１のうちの一方の凹条３０１の中心線と対応する位置に配置される。これに対し、三つの凸条３０２…のうちの中央の凸条３０２の両側にある凸条３０２，３０２のそれぞれの中心線と対応する位置に配置された二つの起点部３０４ａ，３０４ａは、相手方の伝熱部３０（Ｚ軸方向で重なり合って隣り合う伝熱部３０）の第一面Ｓ１又は第二面Ｓ２の何れか一方（本実施形態においては第一面Ｓ１）で凸条３０２を挟んで横並びする二つの凹条３０１，３０１のうちの他方の凹条３０１の中心線と対応する位置に配置される。
【００４０】
本実施形態において、凸条３０２は、縦中心線ＣＬ１に対して４５°の角度に傾斜しているため、屈曲平板部３０４において、一方の接続部３０４ｂはＸ軸方向に延び、他方の接続部３０４ｂはＹ軸方向に延びている。すなわち、単一の起点部３０４ａを介して接続された一対の接続部３０４ｂ、３０４ｂは、隣り合う伝熱部３０の凸条３０２，３０２同士の交差位置を内角側に位置させて（取り囲むように）直角をなす。
【００４１】
補強部３０３（屈曲平板部３０４）は、図８に示す如く、Ｚ軸方向における第一面Ｓ１上の凸条３０２の頂部と第二面Ｓ２上の凸条３０２の頂部との間に位置する。本実施形態において、補強部３０３は、第一面Ｓ１の凸条３０２の頂部と第二面Ｓ２の凸条３０２の頂部との間のＺ軸方向における途中位置を通る第一仮想平面ＢＬに沿った平板部分である。
【００４２】
より具体的に説明すると、伝熱部３０の第一面Ｓ１の凹条３０１は、Ｘ軸方向及びＹ軸方向に広がる基準面ＢＬからＺ軸方向に窪み、伝熱部３０の第一面Ｓ１の凸条３０２は、基準面ＢＬからＺ軸方向に突出する。これに伴い、第一面Ｓ１の凹条３０１と表裏の関係にある第二面Ｓ２の凸条３０２は、基準面ＢＬからＺ軸方向に突出し、第一面Ｓ１の凸条３０２と表裏の関係にある第二面Ｓ２の凹条３０１は、基準面ＢＬからＺ軸方向に窪む。これを前提に、本実施形態において、第一面Ｓ１の凹条３０１と凸条３０２との境界となる基準面を第一仮想平面ＢＬとしている。従って、本実施形態において、補強部３０３は、第一面Ｓ１の凹条３０１（凸条３０２）と第二面Ｓ２の凹条３０１（凸条３０２）との境界となる基準面ＢＬに沿う（通る）ように形成される。
【００４３】
本実施形態において、補強部３０３は、図５及び図６に示す如く、複数の屈曲平板部３０４を備える。複数の屈曲平板部３０４は、連続している。すなわち、隣り合う屈曲平板部３０４が、共通の起点部３０４ａを介して接続される（図７参照）。
【００４４】
これに伴い、複数の屈曲平板部３０４が連なった補強部３０３は、凹条３０１及び凸条３０２の延びる方向に対して直交する方向に長手をなし、Ｚ軸方向から見てジグザク状に形成される。
【００４５】
本実施形態において、伝熱部３０（主伝熱領域３００ａ）は、複数の補強部３０３を備える。複数の補強部３０３のうちの一つの補強部３０３は、伝熱部３０の対角を結ぶように配置され、残りの補強部３０３は、伝熱部３０の対角を結ぶ仮想線（本実施形態においては、対角を結ぶ補強部３０３の長手方向に延びる仮想線）を基準に対称となるように配置される。
【００４６】
本実施形態において、伝熱部３０の輪郭Ｅｂが正方形状に形成されるため、縦中心線ＣＬ１又は横中心線ＣＬ２の何れか一方（本実施形態においては、縦中心線ＣＬ１）を回転軸にして伝熱プレート３を反転させることで、反転後の補強部３０３が反転前の補強部３０３に対してＸ軸方向に延びる中心線を基準に対称な位置に配置されるようになっている。
【００４７】
応力緩和領域３００ｂは、主伝熱領域３００ａの複数の凹条３０１及び凸条３０２のうち、凹条３０１及び凸条３０２の延長線（図示しない）が伝熱プレート３の輪郭Ｅａに含まれる第一端縁Ｅａ１又は第二端縁Ｅａ２の長手方向の端部に到達する凹条３０１及び凸条３０２の延長線を含む領域に設定される。
【００４８】
応力緩和領域３００ｂは、図９及び図１０に示す如く、Ｚ軸方向における第一面Ｓ１の凸条３０２の頂部と第二面Ｓ２の凸条３０２の頂部との間に位置する中段平板部３０５であって、Ｘ軸方向及びＹ軸方向に広がる中段平板部３０５を含む。本実施形態において、応力緩和領域３００ｂは、第一面Ｓ１及び第二面Ｓ２のそれぞれに複数の凸部３０６であって、Ｚ軸方向と直交する方向に間隔をあけて配置された複数の凸部３０６を含む。
【００４９】
中段平板部３０５は、第一面Ｓ１の凸条３０２の頂部と第二面Ｓ２の凸条３０２の頂部との間のＺ軸方向における途中位置を通る第一仮想平面ＢＬに沿った平板部分である。
【００５０】
応力緩和領域３００ｂにおいて、第一面Ｓ１の凸部３０６と第二面Ｓ２の凸部３０６とは、Ｚ軸方向と直交する方向に位置ずれして配置される。
【００５１】
これに伴い、中段平板部３０５は、第一面Ｓ１の凸部３０６と第二面Ｓ２の凸部３０６との間に配置される。各応力緩和領域３００ｂにおいて、第一面Ｓ１の凸部３０６の頂部及び第二面Ｓ２の凸部３０６の頂部のそれぞれは、Ｚ軸方向と直交する方向（Ｘ軸方向及びＹ軸方向）に広がる平面である。
【００５２】
本実施形態において、図５及び図６に示す如く、伝熱部３０がＺ方向から見て多角形状であることを前提に、主伝熱領域３００ａは、当該伝熱部３０の平面形状に含まれる複数の角部のうちの少なくとも一つの角部を除く領域に設定され、応力緩和領域３００ｂは、伝熱部３０のうちの主伝熱領域３００ａ以外の領域に設定される。
【００５３】
本実施形態において、伝熱部３０は、Ｚ軸方向から見て四つの角部を含む四角（正方形）状である。これに伴い、本実施形態において、主伝熱領域３００ａは、当該伝熱部３０の四つの角部を除く領域に設定され、応力緩和領域３００ｂは、当該伝熱部３０の四つの角部のそれぞれに設定される。本実施形態において、各応力緩和領域３００ｂは、伝熱部３０の直角な角を含んだ略直角三角形状の領域とされる。これに伴い、主伝熱領域３００ａは、平面視八角形状の領域とされる。
【００５４】
具体的には、本実施形態において、伝熱プレート３は、伝熱部３０の第一面Ｓ１をＺ軸方向の一方側で隣り合う伝熱プレート３の伝熱部３０の第一面Ｓ１と対向させ、伝熱プレート３は、伝熱部３０の第二面Ｓ２をＺ軸方向の他方側で隣り合う伝熱プレート３の伝熱部３０の第二面Ｓ２と対向させる。これに伴い、図１１及び図１２に示す如く、伝熱部３０の第一面Ｓ１同士を対向させて隣り合う伝熱プレート３，３は、互いの応力緩和領域３００ｂの第一面Ｓ１の凸部３０６の頂部同士を当接させ、伝熱部３０の第二面Ｓ２同士を対向させて隣り合う伝熱プレート３は、互いの応力緩和領域３００ｂの第二面Ｓ２の凸部３０６の頂部同士を当接させる。
【００５５】
本実施形態において、複数の伝熱プレート３をＺ方向に重ね合わせるに際し、Ｚ軸方向において一つおきに、縦中心線ＣＬ１又は横中心線ＣＬ２の何れか一方（本実施形態においては、縦中心線ＣＬ１を回転軸にして伝熱プレート３を反転させて配置する。これに伴い、図５及び図６に示す如く、本実施形態に係る伝熱プレート３は、主伝熱領域３００ａの凹条３０１及び凸条３０２の延長線上にある応力緩和領域３００ｂに対し、縦中心線ＣＬ１又は横中心線ＣＬ２の何れか一方（本実施形態においては、縦中心線ＣＬ１）を基準にした対称となる領域にも応力緩和領域３００ｂが設定される。従って、本実施形態に係る伝熱部３０は、Ｚ軸方向から見た角部を含む応力緩和領域３００ｂを四つ含む。
【００５６】
対称関係にある応力緩和領域３００ｂの第一面Ｓ１の凸部３０６の配置は、縦中心線ＣＬ１又は横中心線ＣＬ２の何れか一方（本実施形態においては、縦中心線ＣＬ１）を基準に互いに対称関係にあり、対称関係にある応力緩和領域３００ｂの第二面Ｓ２の凸部３０６の配置は、縦中心線ＣＬ１又は横中心線ＣＬ２の何れか一方（本実施形態においては、縦中心線ＣＬ１）を基準に互いに対称関係にある。
【００５７】
図５、図６、及び図１３に示す如く、一対の第一延出部３１，３１のそれぞれは、Ｘ軸方向に基端と先端とを有する第一中段部３１０であって、Ｚ軸方向における第一面Ｓ１の凸条３０２の頂部と第二面Ｓ２の凸条３０２の頂部との間の位置で伝熱部３０に基端が接続された第一中段部３１０と、Ｘ軸方向と交差する方向に基端と先端とを有する第一折曲部３１１であって、基端が第一中段部３１０の先端に接続され、伝熱部３０の第一面Ｓ１側に延出し且つ先端が二対の端縁Ｅａ１,Ｅａ２うちの一方の対を構成する端縁Ｅａ１となる第一折曲部３１１とを備える。
【００５８】
一対の第一延出部３１，３１のうちの一方の第一延出部３１の第一中段部３１０の基端は、一対の第一外縁Ｅｂ１，Ｅｂ１のうちの一方の第一外縁Ｅｂ１に接続され、一対の第一延出部３１，３１のうちの他方の第一延出部３１の第一中段部３１０の基端は、一対の第一外縁Ｅｂ１，Ｅｂ１のうちの他方の第一外縁Ｅｂ１に接続される。
【００５９】
一対の第一延出部３１，３１のそれぞれの第一中段部３１０は、第一端縁Ｅａ１，Ｅａ１の延びる方向（Ｙ軸方向）を長手とする帯板状の部分であり、長手方向と直交する方向（短手方向）において、基端と先端とを有する。
【００６０】
第一中段部３１０は、図１３に示す如く、第一面Ｓ１の凸条３０２の頂部と第二面Ｓ２の凸条３０２の頂部との間のＺ軸方向における途中位置を通る第一仮想平面ＢＬに沿うように、当該第一中段部３１０の基端が第一外縁Ｅｂ１に接続されている。本実施形態において、第一仮想平面ＢＬは、上述の如く、第一面Ｓ１の凹条３０１と凸条３０２との境界となる基準面に設定されている。
【００６１】
従って、本実施形態において、第一延出部３１の第一中段部３１０は、第一面Ｓ１の凹条３０１（凸条３０２）と第二面Ｓ２の凹条３０１（凸条３０２）との境界となる基準面ＢＬに沿う（通る）ように、伝熱部３０の第一外縁Ｅｂ１から延出している。
【００６２】
一対の第一延出部３１，３１のそれぞれにおいて、第一折曲部３１１は、第一端縁Ｅａ１の延びる方向（Ｙ軸方向）を長手とする帯板状の部分であり、長手方向と直交する方向（短手方向）において、基端と先端とを有する。第一折曲部３１１の基端は、対応する第一中段部３１０の先端の全長に亘って接続される。
【００６３】
第一折曲部３１１は、自身の基端（第一中段部３１０の先端）を支点にして伝熱部３０の第一面Ｓ１側に曲げられている。本実施形態において、第一折曲部３１１は、接続された第一中段部３１０に対して傾斜している。
【００６４】
具体的には、第一折曲部３１１は、Ｘ軸方向において先端を基端よりも外側に位置させるように傾斜している。この第一折曲部３１１の先端Ｅａ１は、Ｚ軸方向において伝熱部３０の第一面Ｓ１の凸条３０２の頂部と同一レベルに位置する。本実施形態において、第一折曲部３１１の先端Ｅａ１を含む所定範囲は、重ね合わされる伝熱プレート３との接続代（溶接代）として、Ｙ軸方向に延びる仮想線を曲率中心にしてＸ軸方向において外側に湾曲している。
【００６５】
図５及び図１３に示す如く、本実施形態において、一対の第一延出部３１，３１のうちの少なくともの第一流路Ｒａの上流側を始点にした凹条３０１が到達する第一延出部３１は、第一中段部３１０からＺ軸方向に突出した少なくとも一つの第一凸部３１２を備える。
【００６６】
具体的には、上述の如く、伝熱部３０の第一面Ｓ１にある複数の凹条３０１及び凸条３０２は、Ｘ軸方向の成分とＹ軸方向の成分とを含む合成方向に延び、且つ、Ｘ軸方向の成分とＹ軸方向の成分とを含む合成方向に対して直交する方向に並ぶ。このため、その複数の凹条３０１及び凸条３０２の中には、一対の第二外縁Ｅｂ２，Ｅｂ２のうちの一方の第二外縁Ｅｂ２を始点とし、一対の第一外縁Ｅｂ１，Ｅｂ１のうちの一方の第一外縁Ｅｂ１を終点とする凹条３０１及び凸条３０２が存在する。従って、一方の第一外縁Ｅｂ１を終点とする凹条３０１は、伝熱部３０と第一中段部３１０との境界でＸ軸方向に向けて開放する。
【００６７】
これに伴い、一方の第二外縁Ｅｂ２を始点とする凹条３０１が到達する第一延出部３１は、第一中段部３１０を部分的に膨出させて第一面Ｓ１側に突出した第一凸部３１２を備える。
【００６８】
本実施形態では、図１３に示す如く、一対の第一延出部３１，３１のそれぞれが、第一中段部３１０を第一面Ｓ１側に膨出させた第一凸部３１２を備える。
【００６９】
本実施形態において、第一凸部３１２は、第一中段部３１０の長手方向の略中央位置の一か所に配置される。第一凸部３１２は、Ｘ軸方向において第一中段部３１０の全幅に亘って形成される。すなわち、第一凸部３１２は、伝熱部３０の第一外縁Ｅｂ１と第一折曲部３１１との間の略全範囲に存在する。
【００７０】
本実施形態では、Ｚ軸方向において、第一凸部３１２の頂部は、伝熱部３０の第一面Ｓ１にある凸条３０２の頂部よりも低い位置に設定される。すなわち、第一凸部３１２の基準面ＢＬからの突出量は、第一面Ｓ１の凸条３０２の基準面ＢＬからの突出量より小さい。
【００７１】
図５、図６、及び図１４に示す如く、一対の第二延出部３２，３２のそれぞれは、Ｙ軸方向に基端と先端とを有する第二中段部３２０であって、Ｚ軸方向における第一面Ｓ１の凸条３０２の頂部と第二面Ｓ２の凸条３０２の頂部との間の位置で伝熱部３０に基端が接続された第二中段部３２０と、Ｙ軸方向と交差する方向に基端と先端とを有する第二折曲部３２１であって、基端が第二中段部３２０の先端に接続され、伝熱部３０の第二面Ｓ２側に延出し且つ先端が二対の端縁Ｅａ１，Ｅａ２うちの一方の対を構成する端縁Ｅａ２となる第二折曲部３２１とを備える。
【００７２】
一対の第二延出部３２，３２のうちの一方の第二延出部３２の第二中段部３２０の基端は、一対の第二外縁Ｅｂ２，Ｅｂ２のうちの一方の第二外縁Ｅｂ２に接続され、一対の第二延出部３２，３２のうちの他方の第二延出部３２の第二中段部３２０の基端は、一対の第二外縁Ｅｂ２，Ｅｂ２のうちの他方の第二外縁Ｅｂ２に接続される。
【００７３】
一対の第二延出部３２，３２のそれぞれの第二中段部３２０は、第二端縁Ｅａ２の延びる方向（Ｘ軸方向）を長手とする帯板状の部分であり、長手方向と直交する方向（短手方向）において、基端と先端とを有する。
【００７４】
第二中段部３２０は、図１４に示す如く、第一面Ｓ１の凸条３０２の頂部と第二面Ｓ２の凸条３０２の頂部との間のＺ軸方向における途中位置を通る第二仮想平面ＢＬに沿うように、当該第二中段部３２０の基端が第二外縁Ｅｂ２に接続されている。本実施形態において、第二仮想平面ＢＬは、第一仮想平面ＢＬと共通の仮想平面である。すなわち、第二仮想平面ＢＬは、第一面Ｓ１の凹条３０１と凸条３０２との境界となる基準面に設定されている。
【００７５】
従って、本実施形態における第二延出部３２の第二中段部３２０は、第一面Ｓ１の凹条３０１（凸条３０２）と第二面Ｓ２の凹条３０１（凸条３０２）との境界となる基準面ＢＬに沿う（通る）ように、伝熱部３０の第二外縁Ｅｂ２から延出している。
【００７６】
一対の第二延出部３２，３２のそれぞれにおいて、第二折曲部３２１は、第二端縁Ｅａ２の延びる方向（Ｘ軸方向）を長手とする帯板状の部分であり、長手方向と直交する方向（短手方向）において、基端と先端とを有する。第二折曲部３２１の基端は、対応する第二中段部３２０の先端の全長に亘って接続される。
【００７７】
第二折曲部３２１は、自身の基端（第二中段部３２０の先端）を支点にして伝熱部３０の第二面Ｓ２側に曲げられている。本実施形態において、第二折曲部３２１は、接続された第二中段部３２０に対して傾斜している。
【００７８】
具体的には、第二折曲部３２１は、Ｙ軸方向において先端を基端よりも外側に位置させるように傾斜している。この第二折曲部３２１の先端Ｅａ２は、Ｚ軸方向において伝熱部３０の第二面Ｓ２の凸条３０２の頂部と同一レベルに位置する。本実施形態において、第二折曲部３２１の先端Ｅａ２を含む所定範囲は、重ね合わされる伝熱プレート３との接続代（溶接代）として、Ｘ軸方向に延びる仮想線を曲率中心にしてＹ軸方向において外側に湾曲している。
【００７９】
図６及び図１４に示す如く、一対の第二延出部３２，３２のうちの少なくともの第二流路Ｒｂの上流側を始点にした凹条３０１が到達する第二延出部３２は、第二中段部３２０からＺ軸方向に突出した少なくとも一つの第二凸部３２２を備える。
【００８０】
具体的には、上述の如く、伝熱部３０の第二面Ｓ２にある複数の凹条３０１及び凸条３０２は、Ｘ軸方向の成分とＹ軸方向の成分とを含む合成方向に延び、且つ、Ｘ軸方向の成分とＹ軸方向の成分とを含む合成方向に対して直交する方向に並ぶ。このため、その複数の凹条３０１及び凸条３０２の中には、一対の第一外縁Ｅｂ１，Ｅｂ１のうちの一方の第一外縁Ｅｂ１を始点とし、一対の第二外縁Ｅｂ２，Ｅｂ２のうちの一方の第二外縁Ｅｂ２を終点とする凹条３０１及び凸条３０２が存在する。従って、一方の第二外縁Ｅｂ２を終点とする凹条３０１は、伝熱部３０と第二中段部３２０との境界でＹ軸方向に向けて開放する。
【００８１】
これに伴い、一方の第一外縁Ｅｂ１を始点とする凹条３０１が到達する第二延出部３２は、第二中段部３２０を部分的に膨出させて第二面Ｓ２側に突出した第二凸部３２２を備える。
【００８２】
本実施形態では、図１４に示す如く、一対の第二延出部３２，３２のそれぞれが、第二中段部３２０を第二面Ｓ２側に膨出させた第二凸部３２２を備える。
【００８３】
本実施形態において、第二凸部３２２は、第二延出部３２の長手方向の略中央位置の一か所に配置される。第二凸部３２２は、Ｙ軸方向において第二中段部３２０の全幅に亘って形成される。すなわち、第二凸部３２２は、伝熱部３０の第二外縁Ｅｂ２と第二折曲部３２１との間の略全範囲に存在する。
【００８４】
本実施形態では、Ｚ軸方向において、第二凸部３２２の頂部は、伝熱部３０の第二面Ｓ２にある凸条３０２の頂部よりも低い位置に設定される。すなわち、第二凸部３２２の基準面ＢＬからの突出量は、第二面Ｓ２の凸条３０２の基準面ＢＬからの突出量より小さい。
【００８５】
複数の伝熱プレート３は、輪郭Ｅａを一致又は略一定させるようにＺ軸方向に重ね合わされる。具体的には、図１５及び図１６に示す如く、複数の伝熱プレート３のそれぞれは、自身の伝熱部３０の第一面Ｓ１をＺ軸方向の一方側で隣り合う伝熱プレート３の伝熱部３０の第一面Ｓ１を対向させるとともに、自身の伝熱部３０の第二面Ｓ２をＺ軸方向の他方側で隣り合う伝熱プレート３の伝熱部３０の第二面Ｓ２を対向させる。すなわち、複数の伝熱プレート３は、それぞれの伝熱部３０をＺ方向に重ね合わせるに際し、一つおきに縦中心線ＣＬ１又は横中心線ＣＬ２の何れか一方（本実施形態においては、縦中心線ＣＬ１）を回転軸にして反転される。
【００８６】
これにより、伝熱部３０の第一面Ｓ１同士を対向させる二つの伝熱プレート３は、図１７及び図１８に示す如く、互いの伝熱部３０の第一面Ｓ１の凸条３０２同士を交差衝合させ、伝熱部３０の第二面Ｓ２同士を対向させる二つの伝熱プレート３は、図１９及び図２０に示す如く、互いの伝熱部３０の第一面Ｓ１の凸条３０２同士を交差衝合させる。
【００８７】
そして、本実施形態において、補強部３０３の屈曲平板部３０４が上記の態様にされることで、補強部３０３は、伝熱部３０の第一面Ｓ１同士を対向させる伝熱プレート３の凸条３０２同士の交差点ＣＰ１を躱して配置されるとともに、伝熱部３０の第二面Ｓ２同士を対向させる伝熱プレート３の凸条３０２同士の交差点ＣＰ２を躱して配置される。
【００８８】
この状態において、図１５及び図１６に示す如く、伝熱部３０の第一面Ｓ１同士を対向させた伝熱プレート３の第一折曲部３１１の先端（第一端縁Ｅａ１)同士は、線状に突き合わせた状態となり、伝熱部３０の第二面Ｓ２同士を対向させた伝熱プレート３の第二折曲部３２１の先端（第二端縁Ｅａ２）同士は、線状に突き合わせた状態となる。これに伴い、突き合わせ状態になった第一折曲部３１１の先端（第一端縁Ｅａ１)同士が溶接によって接続され、突き合わせ状態になった第二折曲部３２１の先端（第二端縁Ｅａ２）同士が溶接によって接続される。
【００８９】
すなわち、第一折曲部３１１の先端（第一端縁Ｅａ１)を含んだ部分同士が溶け込んだ第一溶接部３３０がＹ軸方向に延びて形成され、第二折曲部３２１の先端（第二端縁Ｅａ２）を含んだ部分同士が溶け込んだ第二溶接部３３１がＸ軸方向に延びて形成される。
【００９０】
これにより、伝熱部３０の第一面Ｓ１同士を対向させた伝熱プレート３間には、何れか一方の第二端縁Ｅａ２間を第一流入口Ｒａ１とするとともに、何れか他方の第二端縁Ｅａ２間を第一流出口Ｒａ２とする第一流路ＲａがＹ軸方向に延びて形成され（図１６参照）、伝熱部３０の第二面Ｓ２同士を対向させた伝熱プレート３間には、何れか一方の第一端縁Ｅａ１間を第二流入口Ｒｂ１とするとともに、何れか他方の第一端縁Ｅａ１間を第二流出口Ｒｂ２とする第二流路ＲｂがＸ軸方向に延びて形成される（図１５参照）。
【００９１】
本実施形態において、図２１に示す如く、第一溶接部３３０は、第一流路Ｒａ内で露出し、図２２に示す如く、第二溶接部３３１は、第二流路Ｒｂ内で露出している。
【００９２】
具体的に説明すると、図２１に示す如く、第一折曲部３１１は、接続された第一中段部３１０に対して先端Ｅａ１側ほどＸ軸方向において外側に位置するように傾斜している。そのため、伝熱部３０の第一面Ｓ１同士を対向させた伝熱プレート３の第一折曲部３１１の内面は、第一流路Ｒａの内側に向かうほど拡大した空間を形成する。
【００９３】
第一流路Ｒａ内に露出する第一溶接部３３０は、接続された二つの第一折曲部３１１のそれぞれの内面に対する二本の仮想線（以下、第一仮想線という）ＶＬ１の交点Ｐ１を含むように形成される。本実施形態において、第一折曲部３１１の先端Ｅａ１を含む所定範囲が外側に向けて湾曲しているため、二本の第一仮想線ＶＬ１のそれぞれは、第一折曲部３１１の湾曲した内面に対する接線（湾曲した内面（第一面Ｓ１）と一点を共有する線）である。二本の第一仮想線ＶＬ１は、溶接前における先端Ｅａ１の突き合わせ位置を通ってＸ軸方向に延びる仮想線（図示しない）を基準に互いに対称な関係にある。
【００９４】
本実施形態において、第一溶接部３３０は、第一流路Ｒａに露出するとともに、第一流路Ｒａの内側に向けて膨出している。すなわち、第一溶接部３３０のＺ軸方向における両エッジは、第一仮想線ＶＬ１の交点Ｐ１よりもＸ軸方向において第一流路Ｒａ側にある。
【００９５】
図２２に示す如く、第二折曲部３２１は、接続された第二中段部３２０に対して先端側ほどＹ軸方向において外側に位置するように傾斜している。そのため、伝熱部３０の第二面Ｓ２同士を対向させた伝熱プレート３の第二折曲部３２１の内面は、第二流路Ｒｂの内側に向かうほど拡大した空間を形成する。
【００９６】
これに伴い、第二流路Ｒｂ内に露出する第二溶接部３３１は、接続された二つの第二折曲部３２１のそれぞれの内面に対する二本の仮想線（以下、第二仮想線という）ＶＬ２の交点Ｐ２を含むように形成される。本実施形態において、第二折曲部３２１の先端Ｅａ２を含む所定範囲が外側に向けて湾曲しているため、二本の第二仮想線ＶＬ２のそれぞれは、第二折曲部３２１の湾曲した内面に対する接線（湾曲した内面（第二面Ｓ２）と一点を共有する線）である。二本の第二仮想線ＶＬ２は、溶接前における先端Ｅａ２の突き合わせ位置を通ってＹ軸方向に延びる仮想線（図示しない）を基準に互いに対称な関係にある。
【００９７】
本実施形態において、第二溶接部３３１は、第二流路Ｒｂに露出するとともに、第二流路Ｒｂの内側に向けて膨出している。すなわち、第二溶接部３３１のＸ軸方向における両エッジは、第二仮想線ＶＬ２の交点Ｐ２よりもＸ軸方向において第二流路Ｒｂ側にある。
【００９８】
このように、複数の伝熱プレート３がＺ軸方向に重ね合わされ、隣り合う伝熱プレート３の第一端縁Ｅａ１，Ｅａ１同士が接続されるとともに、隣り合う伝熱プレート３の第二端縁Ｅａ２，Ｅａ２同士が接続されることにより、複数の伝熱プレート３は、図２乃至図４、図９及び図１０に示す如く、一体となり、伝熱プレート積層体ＬＢを構成する。
【００９９】
複数の伝熱プレート３は、上述の如く、輪郭Ｅａを一致させた状態で重ね合わされる。これに伴い、伝熱プレート積層体ＬＢは、図１５及び図１６に示す如く、各伝熱プレート３の一方の第一端縁Ｅａ１同士を接続した第一溶接部３３０がＺ軸方向に並ぶ第一表面Ｓａと、各伝熱プレート３の他方の第一端縁Ｅａ１同士を接続した第一溶接部３３０がＺ軸方向に並ぶ第二表面Ｓｂと、各伝熱プレート３の一方の第二端縁Ｅａ２を接続した第二溶接部３３１がＺ軸方向に並ぶ第三表面Ｓｃと、各伝熱プレート３の他方の第二端縁Ｅａ２同士を接続した第二溶接部３３１がＺ軸方向に並ぶ第四表面Ｓｄとを周囲に含む。
【０１００】
伝熱プレート積層体ＬＢの第一表面Ｓａは、図１５に示す如く、それぞれがＺ軸方向と直交する方向に延び且つＺ軸方向に間隔をあけた複数の第一溶接部３３０と、Ｚ軸方向で隣り合う第一溶接部３３０間によって画定され、それぞれが対応する第二流路Ｒｂと繋がる複数の第二流入口Ｒｂ１及び第二流出口Ｒｂ２の少なくとも何れか一方とを含む。
【０１０１】
伝熱プレート積層体ＬＢの第二表面Ｓｂは、それぞれがＺ軸方向と直交する方向に延び且つＺ軸方向に間隔をあけた複数の第一溶接部３３０と、Ｚ軸方向で隣り合う第一溶接部３３０間によって画定され、それぞれが対応する第二流路Ｒｂと繋がる複数の第二流入口Ｒｂ１及び第二流出口Ｒｂ２の少なくとも何れか他方とを含む。
【０１０２】
伝熱プレート積層体ＬＢの第三表面Ｓｃは、図１６に示す如く、それぞれがＺ軸方向と直交する方向に延び且つＺ軸方向に間隔をあけた複数の第二溶接部３３１と、Ｚ軸方向で隣り合う第二溶接部３３１間によって画定され、それぞれが対応する第一流路Ｒａと繋がる複数の第一流入口Ｒａ１及び複数の第一流出口Ｒａ２の少なくとも何れか一方とを含む。
【０１０３】
伝熱プレート積層体ＬＢの第四表面Ｓｄは、それぞれがＺ軸方向と直交する方向に延び且つＺ軸方向に間隔をあけた複数の第二溶接部３３１と、Ｚ軸方向で隣り合う第二溶接部３３１間によって画定され、それぞれが対応する第一流路Ｒａと繋がる複数の第一流入口Ｒａ１及び複数の第一流出口Ｒａ２の少なくとも何れか他方とを含む。
【０１０４】
図４に戻り、外装体４は、複数の伝熱プレート３（伝熱プレート積層体ＬＢ）の周囲に配置される複数の外装プレート４０，４１，４２，４３，４４，４５と、複数の外装プレート４０，４１，４２，４３，４４，４５を複数の伝熱プレート３（伝熱プレート積層体ＬＢ）に対して定位置で支持する支持フレーム４６とを備える。
【０１０５】
外装プレート４０，４１，４２，４３，４４，４５には、Ｚ軸方向の延びる中心線を基準とした複数の伝熱プレート３の周囲に配置されるもの４０，４１，４２，４３と、Ｚ軸方向において複数の伝熱プレート３の両側に配置されるもの４４，４５とが含まれる。
【０１０６】
重ね合わされた複数の伝熱プレート３の周囲に配置される外装プレート４０，４１，４２，４３，４４，４５は、伝熱プレート３の輪郭Ｅａに含まれる端縁Ｅａ１，Ｅａ２の数に応じて設けられる。すなわち、複数の伝熱プレート３の周囲に配置される外装プレート４０，４１，４２，４３，４４，４５は、伝熱プレート積層体ＬＢの周囲にできる表面Ｓａ，Ｓｂ，Ｓｃ，Ｓｄの数に応じて設けられる。
【０１０７】
本実施形態において、伝熱プレート３は、Ｚ軸方向から見て四角形状（正方形状）であり、輪郭Ｅａに四つの端縁（一対の第一端縁Ｅａ１，Ｅａ１、及び一対の第二端縁Ｅａ２，Ｅａ２）が含まれる。これに伴い、伝熱プレート積層体ＬＢの周囲には、四つの外装プレート４０，４１，４２，４３，４４，４５が配置される。
【０１０８】
具体的には、本実施形態に係るプレート式熱交換器１（熱交換部２）は、外装プレート４０，４１，４２，４３，４４，４５として、伝熱プレート積層体ＬＢの第一表面Ｓａの全面に対向する第一外装プレート４０と、伝熱プレート積層体ＬＢの第二表面Ｓｂの全面に対向する第二外装プレート４１と、伝熱プレート積層体ＬＢの第三表面Ｓｃの全面と対向する第三外装プレート４２と、伝熱プレート積層体ＬＢの第四表面Ｓｄの全面に対向する第四外装プレート４３とを備える。
【０１０９】
本実施形態において、第一外装プレート４０には、第二給液口Ｐｂ１及び第二排液口Ｐｂ２が取り付けられる。具体的には、第一外装プレート４０は、Ｚ軸方向と直交する方向に貫通した二つの貫通孔（図示しない）であって、Ｚ軸方向に間隔をあけて配置された二つの貫通孔を有する。本実施形態において、第一外装プレート４０の二つの貫通孔は、Ｚ軸方向における当該第一外装プレート４０の中間位置を基準にした対称位置に配置される。そして、第一外装プレート４０には、第二給液口Ｐｂ１が二つの貫通孔のうちの一方の貫通孔と連通するように取り付けられ、第二排液口Ｐｂ２が二つの貫通孔のうちの他方の貫通孔と連通するように取り付けられる。
【０１１０】
また、本実施形態において、第三外装プレート４２には、第一給液口Ｐａ１及び第一排液口Ｐａ２が取り付けられる。具体的には、第三外装プレート４２は、Ｚ軸方向と直交する方向に貫通した二つの貫通孔であって、Ｚ軸方向に間隔をあけて配置された二つの貫通孔を有する。本実施形態において、第三外装プレート４２の二つの貫通孔は、Ｚ軸方向における当該第三外装プレート４２の中間位置を基準にした対称位置に配置される。そして、第三外装プレート４２には、第一給液口Ｐａ１が二つの貫通孔のうちの一方の貫通孔と連通するように取り付けられ、第一排液口Ｐａ２が二つの貫通孔のうちの他方の貫通孔と連通するように取り付けられる。
【０１１１】
第二外装プレート４１及び第四外装プレート４３のそれぞれは、伝熱プレート積層体ＬＢと対向する領域に貫通孔がなく、伝熱プレート積層体ＬＢの対応する面（第二表面Ｓｂ、第四表面Ｓｄ）を完全に覆う。
【０１１２】
Ｚ軸方向において複数の伝熱プレート３の両側に配置される外装プレート４４，４５は、伝熱プレート３のＺ軸方向から見た形状及びサイズに対応している。本実施形態に係るプレート式熱交換器１は、複数の伝熱プレート３を重ね合わせる方向を上下方向にして配置される。これに伴い、熱交換部２は、Ｚ軸方向において複数の伝熱プレート３の両側に配置される外装プレート４４，４５として、伝熱プレート積層体ＬＢの下端を支持するアンダープレート４４と、伝熱プレート積層体ＬＢの上端に重ねられるアッパープレート４５とを備える。
【０１１３】
支持フレーム４６は、伝熱プレート３の角部のそれぞれに対応して配置される複数の柱体４６ａ…により構成される。本実施形態において、伝熱プレート３が四角形状であるため、柱体４６ａ…は、伝熱プレート３の角部に対応して四つ設けられる。
【０１１４】
本実施形態において、柱体４６ａ…は、角柱状であり、自身の中心線をＺ軸方向に一致させた状態で、自身の一つの角部を伝熱プレート３の一つの角部に一致させて配置される。すなわち、柱体４６ａ…は、自身の角部を伝熱プレート積層体ＬＢの一つの角部に沿わせて配置される。
【０１１５】
本実施形態に係るプレート式熱交換器１は、伝熱プレート積層体ＬＢとアンダープレート４４との間及び伝熱プレート積層体ＬＢとアッパープレート４５との間のそれぞれに配置されるライニング部材４７を備える。すなわち、プレート式熱交換器１は、伝熱プレート積層体ＬＢをＺ軸方向で挟む一対のライニング部材４７であって、それぞれが対向する伝熱プレート３に溶接によって固定されたライニング部材４７を備える。ライニング部材４７は、Ｚ軸方向から見て四角形状をなし、四隅（四つの角部）に切欠きが設けられている。これに伴い、本実施形態において、四つの柱体４６ａ…は、二つのライニング部材４７，４７のそれぞれの角部に対して嵌め合わされた状態で配置される。
【０１１６】
第一外装プレート４０は、伝熱プレート積層体ＬＢの第一表面Ｓａの両側にある二本の柱体４６ａ…に対して液密な状態で該二本の柱体４６ａ…に連結され、第二外装プレート４１は、伝熱プレート積層体ＬＢの第二表面Ｓｂの両側にある二本の柱体４６ａ…に対して液密な状態で該二本の柱体４６ａ…に連結される。また、第三外装プレート４２は、伝熱プレート積層体ＬＢの第三表面Ｓｃの両側にある二本の柱体４６ａ…に対して液密な状態で該二本の柱体４６ａ…に連結され、第四外装プレート４３は、伝熱プレート積層体ＬＢの第四表面Ｓｄの両側にある二本の柱体４６ａ…に対して液密な状態で該二本の柱体４６ａ…に連結される。
【０１１７】
これにより、第一外装プレート４０は、伝熱プレート積層体ＬＢの第一表面Ｓａと間隔をあけて対向し、第二外装プレート４１は、伝熱プレート積層体ＬＢの第二表面Ｓｂと間隔をあけて対向する。第三外装プレート４２は、伝熱プレート積層体ＬＢの第三表面Ｓｃと間隔をあけて対向し、第四外装プレート４３は、伝熱プレート積層体ＬＢの第四表面Ｓｄと間隔をあけて対向する。
【０１１８】
なお、アンダープレート４４及びアッパープレート４５のそれぞれは、伝熱プレート積層体ＬＢに重ね合わされた状態で、四つの柱体４６ａ…、第一外装プレート４０、第二外装プレート４１、第三外装プレート４２、及び第四外装プレート４３に連結される。
【０１１９】
第一仕切プレート５及び第二仕切プレート６は、Ｚ軸方向に重ね合わされた複数の伝熱プレート３のＺ軸方向の中間位置にある伝熱プレート３に接続される。具体的には、第一仕切プレート５は、伝熱プレート積層体ＬＢを構成する複数の伝熱プレート３のうちのＺ軸方向の中間位置にある伝熱プレート３の一方の第二端縁Ｅａ２と第三外装プレート４２とに密接し、該伝熱プレート３の第二端縁Ｅａ２と第三外装プレート４２との間を液密に閉じる。これに対し、第二仕切プレート６は、伝熱プレート積層体ＬＢを構成する複数の伝熱プレート３のうちのＺ軸方向の中間位置にある伝熱プレート３の一方の第一端縁Ｅａ１と第一外装プレート４０とに密接し、該伝熱プレート３の第一端縁Ｅａ１と第一外装プレート４０との間を液密に閉じる。
【０１２０】
これにより、第一仕切プレート５及び第二仕切プレート６は、伝熱プレート積層体ＬＢを疑似的にＺ軸方向で二つのブロックＢ１，Ｂ２に区切る。
【０１２１】
具体的には、図１５に示す如く、伝熱プレート積層体ＬＢのうちの何れか一方のブロックＢ１，Ｂ２（本実施形態においては、上側にある一方のブロックＢ１）の第一表面Ｓａにある第一溶接部３３０間が第二流入口Ｒｂ１となるとともに、伝熱プレート積層体ＬＢのうちの何れか他方のブロックＢ１，Ｂ２（本実施形態においては、下側にある他方のブロックＢ２）の第一表面Ｓａにある第一溶接部３３０間が第二流出口Ｒｂ２となる。これに伴い、伝熱プレート積層体ＬＢのうちの何れか一方のブロックＢ１，Ｂ２（本実施形態においては、上側にある一方のブロックＢ１）の第二表面Ｓｂにある第一溶接部３３０間が第二流出口Ｒｂ２となるとともに、伝熱プレート積層体ＬＢのうちの何れか他方のブロックＢ１，Ｂ２（本実施形態においては、下側にある一方のブロックＢ１）の第二表面Ｓｂにある第一溶接部３３０間が第二流入口Ｒｂ１となる。
【０１２２】
さらに、図１６に示す如く、伝熱プレート積層体ＬＢのうちの何れか一方のブロックＢ１，Ｂ２（本実施形態においては、下側にある他方のブロックＢ２）の第三表面Ｓｃにある第二溶接部３３１間が第一流入口Ｒａ１となるとともに、伝熱プレート積層体ＬＢのうちの何れか他方のブロックＢ１，Ｂ２（本実施形態においては、上側にある一方のブロックＢ１）の第三表面Ｓｃにある第二溶接部３３１間が第一流出口Ｒａ２となる。これに伴い、伝熱プレート積層体ＬＢのうちの何れか一方のブロックＢ１，Ｂ２（本実施形態においては、下側にある他方のブロックＢ２）の第四表面Ｓｄにある第二溶接部３３１間が第一流出口Ｒａ２となるとともに、伝熱プレート積層体ＬＢのうちの何れか他方のブロックＢ１，Ｂ２（本実施形態においては、上側にある一方のブロックＢ１）の第四表面Ｓｄにある第二溶接部３３１間が第一流入口Ｒａ１となる。
【０１２３】
本実施形態に係るプレート式熱交換器１は、以上の通りであり、第一流体Ａが第一給液口Ｐａ１から供給されると、第一流体Ａは、図２及び図１７に示す如く、伝熱プレート積層体ＬＢの他方のブロックＢ２にある複数の第一流入口Ｒａ１を介して複数の第一流路Ｒａを流通した上で複数の第一流出口Ｒａ２から流出し、第四外装プレート４３によって方向変換される。そして、第一流体Ａは、図２及び図１８に示す如く、伝熱プレート積層体ＬＢの一方のブロックＢ１にある複数の第一流入口Ｒａ１を介して複数の第一流路Ｒａを流通した上で複数の第一流出口Ｒａ２から流出し、第一排液口Ｐａ２から排液される。
【０１２４】
また、これに併せ、第二流体Ｂが第二給液口Ｐｂ１から供給されると、第二流体Ｂは、図３及び図１９に示す如く、伝熱プレート積層体ＬＢの一方のブロックＢ１にある複数の第二流入口Ｒｂ１を介して複数の第二流路Ｒｂを流通した上で複数の第二流出口Ｒｂ２から流出し、第二外装プレート４１によって方向変換される。そして、第二流体Ｂは、図３及び図２０に示す如く、伝熱プレート積層体ＬＢの他方のブロックＢ２にある複数の第二流入口Ｒｂ１を介して複数の第二流路Ｒｂを流通した上で複数の第二流出口Ｒｂ２から流出し、第二排液口Ｐｂ２から排液される。
【０１２５】
このように第一流路Ｒａで第一流体Ａが流通するとともに、第二流路Ｒｂで第二流体Ｂが流通することにより、第一流体Ａ及び第二流体Ｂは、第一流路Ｒａと第二流路Ｒｂとの境界となる伝熱プレート３（伝熱部３０）を介して熱交換を行う。
【０１２６】
ところで、第一流体Ａが第一流路Ｒａを流通する際、第一流体Ａは、主として対向する伝熱部３０間をＹ軸方向に流通するが、その中には、間隔をあけて対向する第一中段部３１０間に直接入り込むものや、第一流路Ｒａを画定する伝熱部３０の第一面Ｓ１にある凹条３０１に沿って流れ、第一中段部３１０間に入り込むものがある。
【０１２７】
本実施形態において、伝熱プレート３は、図１５に示す如く、第一流路Ｒａの上流側から延びる凹条３０１が開放する境界を画定する第一中段部３１０から相手方に向けて突出した第一凸部３１２を有するため、第一中段部３１０間を流通しようとする第一流体Ａの流れを阻害する。これにより、第一中段部３１０間にある第一流体Ａに抵抗を与え、該第一流体Ａを主たる経路に戻す或いは第一中段部３１０間で停滞させるため、第一中段部３１０間に入った第一流体Ａを熱交換に寄与させることができる。
【０１２８】
特に、本実施形態において、対向する伝熱プレート３のそれぞれが対応した位置に第一凸部３１２を有し、該第一凸部３１２が伝熱部３０の第一面Ｓ１にある凸条３０２よりも低いため、対向する第一凸部３１２間に僅かに空間ができる。従って、第一中段部３１０間にある第一流体Ａは、第一凸部３１２間の空間を通って下流側に流通できる。これにより、第一流体Ａに不純物等が含まれている場合、その不純物が第一中段部３１０間で堆積し、腐敗する等をいった事態になることが防止される。
【０１２９】
また、第二流体Ｂが第二流路Ｒｂを流通する際も同様である。具体的には、第二流体Ｂが第二流路Ｒｂを流通する際、第二流体Ｂは、主として対向する伝熱部３０間をＸ軸方向に流通するが、その中には、間隔をあけて対向する第二中段部３２０間に直接入り込むものや、第二流路Ｒｂを画定する伝熱部３０の第二面Ｓ２にある凹条３０１に沿って流れ、第二中段部３２０間に入り込むものがある。
【０１３０】
本実施形態において、伝熱プレート３は、図１６に示す如く、第二流路Ｒｂの上流側から延びる凹条３０１が開口する境界を画定する第二中段部３２０から相手方に向けて突出した第二凸部３２２を有するため、第二中段部３２０間を流通しようとする第二流体Ｂの流れを阻害する。これにより、第二中段部３２０間にある第二流体Ｂに抵抗を与え、該第二流体Ｂを主たる経路に戻す或いは第二中段部３２０間で停滞させるため、第二中段部３２０間に入った第二流体Ｂを熱交換に寄与させることができる。
【０１３１】
特に、本実施形態において、対向する伝熱プレート３のそれぞれが対応した位置に第二凸部３２２を有し、該第二凸部３２２が伝熱部３０の第二面Ｓ２にある凸条３０２よりも低いため、対向する第二凸部３２２間に僅かに空間ができる。従って、第二中段部３２０間にある第二流体Ｂは、第二凸部３２２間の空間を通って下流側に流通できる。これにより、第二流体Ｂに不純物等が含まれている場合、その不純物が第二中段部３２０間で堆積し、腐敗する等をいった事態になることが防止される。
【０１３２】
さらに、本実施形態に係るプレート式熱交換器１においては、伝熱プレート３同士の接続部分（第一溶接部３３０、第二溶接部３３１）が損傷することが防止される。
【０１３３】
具体的には、第一流体Ａが第一流路Ｒａを流通する際、Ｚ軸方向で隣り合う伝熱プレート３（伝熱部３０）には流体圧が作用し、第一流体Ａ（流体圧）が隣り合う伝熱プレート３（伝熱部３０）をＺ軸方向において離間させようとする。このとき、第一折曲部３１１が先端Ｅａ１側を支点に起き上がろうとし、隣り合う伝熱プレート３の第一端縁Ｅａ１，Ｅａ１同士を接続した部分にも同様の互いに離間しようとする。そのため、第一溶接部３３０に対して、隣り合う伝熱プレート３が離間しようとする力（第一折曲部３１１が先端Ｅａ１側を支点に起き上がろうとする力）が作用することになるが、本実施形態において、第一端縁Ｅａ１，Ｅａ１同士を接続する第一溶接部３３０が第一流路Ｒａ内に露呈しているため、その力が第一流路Ｒａ内に露呈する第一溶接部３３０の表面で分散される。従って、第一溶接部３３０の一か所に力が集中的に作用しないため、第一溶接部３３０に亀裂等入ることなく第一溶接部３３０が十分に対抗する。
【０１３４】
特に、本実施形態において、第一流路Ｒａ内に露出する第一溶接部３３０は、図２１に示す如く、接続された二つの第一折曲部３１１のそれぞれの内面に沿った二本の第一仮想線ＶＬ１の交点Ｐ１を含むように形成されるため、二つの第一折曲部３１１の離間の起点となる箇所（交点Ｐ１と一致する部分）が二つの第一折曲部３１１に跨って形成される第一溶接部３３０によって埋められている。これにより、第一溶接部３３０の亀裂等の発生要因となる二つの第一折曲部３１１の離間（起き上がり）が抑えられる。従って、本実施形態では、第一溶接部３３０は、第一流体Ａの流体圧の影響で発生する力に対する対抗性を有するだけでなく、自身に影響を与える発生要因を解消できるため、亀裂や割れ等の損傷の発生をより抑えることができる。
【０１３５】
また、第二流体Ｂが第二流路Ｒｂを流通する際、Ｚ軸方向で隣り合う伝熱プレート３（伝熱部３０）には流体圧が作用し、第二流体Ｂ（流体圧）が隣り合う伝熱プレート３（伝熱部３０）をＺ軸方向において離間させようとする。このとき、第二折曲部３２１が先端Ｅａ２側を支点に起き上がろうとし、隣り合う伝熱プレート３の第二端縁Ｅａ２，Ｅａ２同士を接続した部分にも同様の互いに離間しようとする。そのため、第二溶接部３３１に対して、隣り合う伝熱プレート３が離間しようとする力（第二折曲部３２１が先端Ｅａ２側を支点に起き上がろうとする力）が作用することになるが、本実施形態において、第二端縁Ｅａ２，Ｅａ２同士を接続する第二溶接部３３１が第二流路Ｒｂ内に露呈しているため、その力が第二流路Ｒｂ内に露呈する第二溶接部３３１の表面で分散される。従って、第二溶接部３３１の一か所に力が集中的に作用しないため、第二溶接部３３１に亀裂等入ることなく第二溶接部３３１が十分に対抗する。
【０１３６】
特に、本実施形態において、第二流路Ｒｂ内に露出する第二溶接部３３１は、図２２に示す如く、接続された二つの第二折曲部３２１のそれぞれの内面に沿った二本の第二仮想線ＶＬ２の交点Ｐ２を含むように形成されるため、二つの第二折曲部３２１の離間の起点となる箇所（交点Ｐ２と一致する部分）が二つの第二折曲部３２１に跨って形成される第二溶接部３３１によって埋められている。これにより、第二溶接部３３１の亀裂等の発生要因となる二つの第二折曲部３２１の離間（起き上がり）が抑えられる。従って、本実施形態では、第二溶接部３３１は、第二流体Ｂの流体圧の影響で発生する力に対する対抗性を有するだけでなく、自身に影響を与える発生要因を解消できるため、亀裂や割れ等の損傷の発生をより抑えることができる。
【０１３７】
また、本実施形態において、図５及び図６に示す如く、伝熱部３０が、主伝熱領域３００ａの複数の凹条３０１及び凸条３０２のうち、凹条３０１及び凸条３０２の延長線が第一溶接部３３０又は第二溶接部３３１の端部に到達する凹条３０１及び凸条３０２の延長線を含む領域に設定された応力緩和領域３００ｂを含み、応力緩和領域３００ｂは、図１１及び図１２に示す如く、Ｚ軸方向における第一面Ｓ１の凸条３０２の頂部と第二面Ｓ２の凸条３０２の頂部との間で、Ｚ軸方向と直交する方向（Ｘ軸方向及びＹ軸方向のそれぞれ）に広がる中段平板部３０５を含む。これにより、第一流体Ａと第二流体Ｂとの熱交換による熱影響によって、伝熱部３０（主伝熱領域３００ａ）が凹条３０１及び凸条３０２の延びる方向に膨張又は収縮をしたとしても、その膨張又は収縮に伴う力（凹条３０１及び凸条３０２）の延びる方向に作用する力）が中段平板部３０５によって面方向に分散される。これによって、第一溶接部３３０の端部及び第二溶接部３３１の端部に対して応力が集中的に作用することが抑制される。
【０１３８】
また、本実施形態において、伝熱部３０の第一面Ｓ１同士を対向させて隣り合う伝熱プレート３は、互いの応力緩和領域３００ｂの第一面Ｓ１の凸部３０６の頂部同士を当接させ、伝熱部３０の第二面Ｓ２同士を対向させて隣り合う伝熱プレート３は、互いの応力緩和領域３００ｂの第二面Ｓ２の凸部３０６の頂部同士を当接させているため、第一流体Ａと第二流体Ｂとの熱交換による熱影響や、第一流体Ａ又は第二流体Ｂの流体圧の影響によって、伝熱プレート３（応力緩和領域３００ｂ）がＺ軸方向に移動（湾曲）しようとしても、相互に支持し合うため、伝熱プレート３同士の相対的な移動が阻止される。これによっても、第一溶接部３３０の端部及び第二溶接部３３１の端部に対して応力が集中的に作用することが抑制される。
【０１３９】
特に、本実施形態において、第一面Ｓ１の凸部３０６の頂部及び第二面Ｓ２の凸部３０６の頂部のそれぞれは、Ｚ軸方向と直交する方向に広がる平面であるため、隣り合う伝熱プレート３（伝熱部３０）の凸部３０６同士を接触させた状態（支持した状態）にしても、凸部３０６同士の接触面においてＺ軸方向と直交する方向の移動が許容される。この結果、第一流体Ａと第二流体Ｂとの熱交換による熱影響や、第一流体Ａ又は第二流体Ｂの流体圧の影響によって、伝熱プレート３（応力緩和領域３００ｂ）がＺ軸方向に移動（湾曲）しようとしたときに、Ｚ軸方向と直交する方向において相互を拘束し合うことがなく、当該領域においても応力が集中的に作用することが阻止される。
【０１４０】
以上のように、本実施形態に係るプレート式熱交換器１は、それぞれが第一流体Ａと第二流体Ｂとを熱交換させる伝熱部３０を有する複数の伝熱プレート３であって、それぞれの伝熱部３０がＺ軸方向に重ね合わされた複数の伝熱プレート３を備え、複数の伝熱プレート３のそれぞれの伝熱部３０は、Ｚ軸方向において第一面Ｓ１と該第一面Ｓ１に対して反対側を向く第二面Ｓ２とを有するとともに、第一面Ｓ１上に形成された複数の凹条３０１及び凸条３０２であって、Ｚ軸方向と直交するＸ軸方向に延びる中心線（縦中心線）ＣＬ１に対して傾斜する方向に延び、且つ該傾斜する方向に対して直交する方向に交互に配置される複数の凹条３０１及び凸条３０２と、第二面Ｓ２上に形成された複数の凹条３０１及び凸条３０２であって、第一面Ｓ１上の凸条３０２と表裏の関係にある凹条３０１及び第一面Ｓ１上の凹条３０１と表裏の関係にある凸条３０２と、第一面Ｓ１及び第二面Ｓ２にある凹条３０１及び凸条３０２に跨って形成された補強部３０３であって、Ｚ軸方向における第一面Ｓ１上の凸条３０２の頂部と第二面Ｓ２上の凸条３０２の頂部との間に位置する補強部３０３とを有し、複数の伝熱プレート３は、隣り合う伝熱部３０の凸条３０２同士が交差衝合するように、Ｚ軸方向に重ね合わされた状態で、Ｚ軸方向に並ぶ伝熱部３０を境にして、第一流体Ａを流通させる第一流路Ｒａと、第二流体Ｂを流通させる第二流路ＲｂとをＺ軸方向で交互に形成し、補強部３０３は、伝熱部３０における第一面Ｓ１又は第二面Ｓ２の何れか一方（本実施形態においては第一面Ｓ１）で凹条３０１を挟んで横並びする三つの凸条３０２…のそれぞれの中心線と対応する位置に配置された起点部３０４ａ…と、前記三つの凸条３０２のうちの中央の凸条３０２の中心線上にある起点部３０４ａと残りの二つの起点部３０４ａ…とを繋ぐ一対の接続部３０４ｂ，３０４ｂとを含む少なくとも一つの屈曲平板部３０４を備え、屈曲平板部３０４において、前記三つの凸条３０２…のうちの中央の凸条３０２の中心線と対応する位置に配置された起点部３０４ａは、相手方の伝熱部３０の第一面Ｓ１又は第二面Ｓ２の何れか一方（本実施形態においては第一面Ｓ１）で凸条３０２を挟んで横並びする二つの凹条３０１，３０１のうちの一方の凹条３０１の中心線と対応する位置に配置されるとともに、前記三つの凸条３０２…のうちの中央の凸条３０２の両側にある凸条３０２，３０２のそれぞれの中心線と対応する位置に配置された二つの起点部３０４ａ，３０４ａは、相手方の伝熱部３０の第一面Ｓ１又は第二面Ｓ２の何れか一方（本実施形態においては第一面Ｓ１）で凸条３０２を挟んで横並びする二つの凹条３０１，３０１のうちの他方の凹条３０１の中心線と対応する位置に配置される。
【０１４１】
上記構成によれば、補強部３０３の屈曲平板部３０４において、一対の接続部３０４ｂ，３０４ｂのそれぞれは、凹条３０１を挟んで並ぶ凸条３０２の中心線上に配置された起点部３０４ａを繋ぐことで、凸条３０２を挟んで並ぶ凹条３０１のそれぞれを横切って配置される。これにより、一対の接続部３０４ｂのそれぞれは、裏側の凹条３０１及び凸条３０２に対しても横切って配置される。これにより、Ｚ軸方向に伝熱部３０が重ね合わされた複数の伝熱プレート３（伝熱プレート積層体ＬＢ）に対し、Ｚ軸方向の力（圧縮力）が作用しても、各伝熱プレート３の伝熱部３０がＺ軸方向と直交する方向に押し広げられることが防止される。
【０１４２】
そして、屈曲平板部３０４において、三つの凸条３０２…のうちの中央の凸条３０２の中心線と対応する位置に配置された起点部３０４ａは、相手方の伝熱部３０の第一面Ｓ１又は第二面Ｓ２の何れか一方で凸条３０２を挟んで横並びする二つの凹条３０１，３０１のうちの一方の凹条３０１の中心線と対応する位置に配置されるとともに、三つの凸条３０２…のうちの中央の凸条３０２の両側にある凸条３０２，３０２のそれぞれの中心線と対応する位置に配置された二つの起点部３０４ａ，３０４ａは、相手方の伝熱部３０の第一面Ｓ１又は第二面Ｓ２の何れか一方で凸条３０２を挟んで横並びする二つの凹条３０１，３０１のうちの他方の凹条３０１の中心線と対応する位置に配置されることで、補強部３０３（屈曲平板部３０４）が隣り合う伝熱プレート３の伝熱部３０における凸条３０２同士の交差衝合する部分（交差点）ＣＰ１,ＣＰ２を躱して配置される。
【０１４３】
これにより、隣り合う伝熱プレート３の伝熱部３０同士の支持点（凸条３０２同士の交差衝合する部分（交差点））ＣＰ１，ＣＰ２が減ることなく、隣り合う伝熱プレート３の伝熱部３０同士が確実に支持し合い、伝熱プレート３の伝熱部３０の変形を抑制することができる。
【０１４４】
本実施形態において、補強部３０３は、複数の屈曲平板部３０４…を備え、複数の屈曲平板部３０４…が連続しているため、単一の補強部３０３によって伝熱プレート３（伝熱部３０）の広い範囲での補強が可能となる。
【０１４５】
また、本実施形態において、隣り合う伝熱プレート３,３の伝熱部３０の補強部３０３は、伝熱部３０におけるＸ軸方向に延びる中心線（縦中心線）ＣＬ１を基準に対称的に配置されているため、隣り合う伝熱プレート３，３の補強部３０３の配置が均等になり、隣り合う伝熱プレート３，３（伝熱部３０，３０）間に形成される流路（第一流路Ｒａ、第二流路Ｒｂ）内において、流体（第一流体Ａ、第二流体Ｂ）の流れが不均衡になることを防止することができる。
【０１４６】
なお、本発明は、上記実施形態に限定されるものではなく、本発明の要旨を逸脱しない範囲で適宜変更を加え得ることは勿論である。
【０１４７】
上記実施形態において、伝熱プレート３の輪郭Ｅａが二対の端縁Ｅａ１，Ｅａ２を含み、伝熱プレート３がＺ軸方向から見て四角形状にされたが、これに限定されない。例えば、伝熱プレート３の輪郭Ｅａが三対以上の端縁を含み、伝熱プレート３がＺ軸方向から見て六角形以上の多角形状にされてもよいし、伝熱プレート３の輪郭Ｅａが二対以上の端縁を含み、伝熱プレート３がＺ軸方向から見て非多角形状であってもよい。
【０１４８】
上記実施形態において、一種類の伝熱プレート３を複数重ね合わせるようにしたが、これに限定されない。例えば、伝熱部３０の凹条３０１及び凸条３０２の形態を異にする複数種類の伝熱プレート３を重ね合わせるようにしてもよい。但し、隣り合う伝熱プレート３の凸条３０２同士が交差衝合する（交差点ＣＰ１，ＣＰ２を形成する）ことが前提である。
【０１４９】
上記実施形態において、各伝熱プレート３の伝熱部３０が主伝熱領域３００ａと応力緩和領域３００ｂとを含んだが、これに限定されない。例えば、各伝熱プレート３の伝熱部３０は、主伝熱領域３００ａのみを含んでいてもよい。すなわち、主伝熱領域３００ａが伝熱部３０全体を構成してもよい。
【０１５０】
上記実施形態において、隣り合う伝熱プレート３のそれぞれの輪郭Ｅａに含まれる端縁Ｅａ１，Ｅａ２同士を溶接したプレート式熱交換器１について説明したが、これに限定されない。
【０１５１】
例えば、重ね合わされた伝熱プレート３間にガスケットを介装されることで、伝熱部３０間に流路Ｒａ，Ｒｂが形成されたプレート式熱交換器や、重ね合わされた伝熱プレート３間がロウ付けで封止されることで、伝熱部３０間に流路Ｒａ，Ｒｂが形成されたプレート式熱交換器であってもよい。なお、これらのプレート式熱交換器においては、複数の伝熱プレート３のそれぞれに少なくとも四つの貫通孔が設けられ、複数の伝熱プレート３の貫通孔が連なることで、第一流路Ｒａのみに連通する一対の第一連通路、及び第二流路Ｒｂのみに連通する一対の第二連通路が形成される。
【０１５２】
上記実施形態において、補強部３０３が複数の屈曲平板部３０４を備え、該複数の屈曲平板部３０４が連続したが、これに限定されない。補強部３０３は、単一の屈曲平板部３０４のみで構成されてもよい。但し、この場合は、伝熱部３０にある複数の凹条３０１及び凸条３０２の広がりを防止するために、複数の補強部３０３が伝熱部３０（主伝熱領域３００ａ）内に点在して配置されることは勿論である。
【０１５３】
上記実施形態において、補強部３０３の屈曲平板部３０４が第一面Ｓ１の凸条３０２の頂部と第二面Ｓ２の凸条の頂部との中間位置にある基準面ＢＬに沿って配置されたが、これに限定されるものではなく、補強部３０３の屈曲平板部３０４は、Ｚ軸方向において第一面Ｓ１の凸条３０２の頂部と第二面Ｓ２の凸条３０２の頂部との間の位置に配置されていればよい。
【符号の説明】
【０１５４】
１…プレート式熱交換器、２…熱交換部、３…伝熱プレート、４…外装体、５…第一仕切プレート、６…第二仕切プレート、３０…伝熱部、３１…第一延出部、３２…第二延出部、４０…第一外装プレート（外装プレート）、４１…第二外装プレート（外装プレート）、４２…第三外装プレート（外装プレート）、４３…第四外装プレート（外装プレート）、４４…アンダープレート（外装プレート）、４５…アッパープレート（外装プレート）、４６…支持フレーム、４６ａ…柱体、４７…ライニング部材、３００ａ…主伝熱領域、３００ｂ…応力緩和領域、３０１…凹条、３０２…凸条、３０３…補強部、３０４…屈曲平板部、３０４ａ…起点部、３０４ｂ…接続部、３０５…中段平板部、３０６…凸部、３１０…第一中段部、３１１…第一折曲部、３１２…第一凸部、３２０…第二中段部、３２１…第二折曲部、３２２…第二凸部、３３０…第一溶接部、３３１…第二溶接部、Ａ…第一流体、Ｂ…第二流体、Ｂ１，Ｂ２…ブロック、ＢＬ…第一仮想平面（基準面）、ＢＬ…第二仮想平面（基準面）、ＣＬ１…縦中心線（中心線）、ＣＬ２…横中心線（中心線）、ＣＰ１，ＣＰ２…交差点（交差衝合する部分）、Ｅａ…輪郭、Ｅａ１…第一端縁（端縁、先端）、Ｅａ２…第二端縁（端縁、先端）、Ｅｂ…輪郭、Ｅｂ１…第一外縁（外縁）、Ｅｂ２…第二外縁（外縁）、ＬＢ…伝熱プレート積層体、Ｐ１，Ｐ２…交点、Ｐａ１…第一給液口、Ｐａ２…第一排液口、Ｐｂ１…第二給液口、Ｐｂ２…第二排液口、Ｒａ…第一流路（流路）、Ｒａ１…第一流入口、Ｒａ２…第一流出口、Ｒｂ…第二流路（流路）、Ｒｂ１…第二流入口、Ｒｂ２…第二流出口、Ｓ１…第一面、Ｓ２…第二面、Ｓａ…第一表面（表面）、Ｓｂ…第二表面（表面）、Ｓｃ…第三表面（表面）、Ｓｄ…第四表面（表面）、ＶＬ１…第一仮想線（仮想線）、ＶＬ２…第二仮想線（仮想線）
【図１】
2019066052.tif 000003
【図２】
2019066052.tif 000004
【図３】
2019066052.tif 000005
【図４】
2019066052.tif 000006
【図５】
2019066052.tif 000007
【図６】
2019066052.tif 000008
【図７】
2019066052.tif 000009
【図８】
2019066052.tif 000010
【図９】
2019066052.tif 000011
【図１０】
2019066052.tif 000012
【図１１】
2019066052.tif 000013
【図１２】
2019066052.tif 000014
【図１３】
2019066052.tif 000015
【図１４】
2019066052.tif 000016
【図１５】
2019066052.tif 000017
【図１６】
2019066052.tif 000018
【図１７】
2019066052.tif 000019
【図１８】
2019066052.tif 000020
【図１９】
2019066052.tif 000021
【図２０】
2019066052.tif 000022
【図２１】
2019066052.tif 000023
【図２２】
2019066052.tif 000024